(57)【要約】      （修正有）【課題】家畜用柵の出入口の幅が広くても設置することができる折畳可能な連結フェンスを提供する。【解決手段】家畜用の連結フェンス２０は、金属パイプを折り曲げて上枠１３と２本の平行で等長の縦枠１４を形成し、２本の縦枠１４の下端部同士を下枠１５で接続したフレーム１１と、フレーム１１内に配置してフレーム１１の補強と家畜の通過阻止を行う補強部材１６とを備える同一寸法の複数の基準フェンス１０を、少なくとも２つ隣接させてフレームの縦枠１４同士を連結部材６で折り畳み可能に連結して形成し、連結した複数の基準フェンス１０の一方の端部に位置する縦枠１４は、回転保持部材５で支柱３に回転保持させることができるようにし、連結した複数の基準フェンス１０の他方の端部に位置する縦枠１４は、係脱部材７で他の支柱４に係脱可能に係止させるようにした家畜用の連結フェンスである。連結フェンス２０の下枠にはキャスターを取り付けて移動を容易にできる。【選択図】図４
0003230199.tif 000002
【実用新案登録請求の範囲】
【請求項１】
家畜用の連結フェンスであって、
金属パイプを折り曲げて上枠と、２本の平行で等長の縦枠を形成し、２本の前記縦枠の下端部同士を下枠で接続したフレームと、前記フレーム内に配置して前記フレームの補強と家畜の通過阻止を行う補強部材と、を備える同一寸法の基準フェンスを複数用意しておき、
前記基準フェンスを少なくとも２枚選択して隣接させ、隣接する前記フレームの前記縦枠同士を連結部材で折り畳み可能に連結し、
連結した複数の前記基準フェンスの一方の端部に位置する前記縦枠は、回転保持部材で支柱に回転保持させ、
連結した複数の前記基準フェンスの他方の端部に位置する前記縦枠は、係脱部材で他の支柱に係脱可能に係止させた家畜用の連結フェンス。
【請求項２】
前記基準フェンスの左右の前記縦枠にそれぞれ前記連結部材を取り付ける場合、
前記連結部材の前記縦枠への設置位置は、前記縦枠の左右で異ならせ、２つの前記基準フェンスを隣接させた時に、一方の側の前記縦枠に取り付けた前記連結部材が、他方の側の前記連結部材を内側に挟む位置にあるようにした請求項１に記載の家畜用の連結フェンス。
【請求項３】
前記下枠の所定の個所に、前記連結フェンスを地面に対してスムーズに移動させるためのキャスターを設けた請求項１又は２に記載の家畜用の連結フェンス。
【請求項４】
前記連結部材には、連結用のピンを挿通する貫通孔を備える筒部と、前記縦枠に固着される取付部と、前記筒部と前記取付部とを接続するアームとを設け、
連結した複数の前記基準フェンスを折り畳んで重ね合わせた状態では、前記ピンは２つの前記基準フェンスの重ね合わせ面上に位置するようにした請求項２に記載の家畜用の連結フェンス。
【請求項５】
前記キャスターにより前記下枠と地面の間に生じた、小動物の通過を許容するスペースに対して、前記下枠と地面との間に、小動物が触れると電気ショックを受けるパルスを流せる導電ワイヤーを張設した請求項３に記載の家畜用の連結フェンス。
【請求項６】
前記基準フェンスの縦枠に緊張具を取り付けて前記導電ワイヤーを引っ張り、前記導電ワイヤーを所定のテンションで張設した請求項５に記載の家畜用の連結フェンス。
【請求項７】
請求項１〜６の何れか一項に記載の家畜用の連結フェンスを２組作り、
両方の組における連結した複数の前記基準フェンスの一方の端部に位置する前記縦枠を、それぞれ前記回転保持部材で２本の支柱に回転保持させ、
前記係脱部材は連結した複数の前記基準フェンスの他方の端部に位置する前記縦枠同士を係脱可能に係止するようにした家畜用の連結フェンス。
【考案の詳細な説明】
【技術分野】
【０００１】
本考案は、家畜用の連結フェンスに関する。
【背景技術】
【０００２】
従来、牧場では飼育している家畜を囲い込むために家畜用柵が使用されている。このような家畜用柵としては、例えば、特許文献１に牧場用柵の開示がある。特許文献１に開示の牧場用柵は牛に使用するものであり、牧場用柵は放牧地の周囲に所定間隔で埋め込んだ複数本の支柱と、支柱間にかけ渡された木製の横桟や有刺鉄線を備えて形成される。牧場用柵には人が出入りする木戸口や、牛を出入りさせるための出入口があり、木戸口や出入口にはゲート（門扉）が設けられている。
【０００３】
一方、近年では家畜用柵で囲む土地の面積が広がり、家畜用柵内の土地にトラクター等の耕作機械が入るようになった。このため、出入口は耕作機械が通れるように幅が広がりつつある。図１に示すように、家畜用柵１に設けられた幅の広い出入口２に設けられた支柱３、４の間にゲートＧを設置する場合には、矩形状の金属製のフレーム９１を備えるフェンス９０が用いられる場合がある。金属製のフレーム９１を備えるフェンス９０をゲートＧとして使用する場合は、一方の縦枠９２Ｌが出入口２の一方の側に設けられた支柱３に蝶番等の取付部材９３によって回転可能に保持され、他方の縦枠９２Ｒが出入口２の他方の側に設けられた支柱４に係脱部材９４でロックされることが多い。このような金属製のフレーム９１を備えるフェンス９０は、出入口２の両側に設置された支柱３，４に取り付けて使用する以外に、畜舎の内部を仕切るために、取付部材や係脱部材を用いずに使用することができる。
【先行技術文献】
【特許文献】
【０００４】
【特許文献１】特開昭６１−２９０１７５号公報
【考案の概要】
【考案が解決しようとする課題】
【０００５】
ところが、家畜用柵の出入口にゲートとして使用される金属製のフレームを備える従来のフェンスは、フレームの横方向の長さが決まっているために、出入口の幅が広い場合には対応させることができなかった。また、出入口の幅に合わせて色々な長さの金属製のフレームを備えるフェンスをゲート用に何種類も作ると、コストが増大するという課題があった。
【０００６】
本考案は、出入口の幅が広い場合には、出入口を開閉する金属製のフレームを備えるフェンスを複数個連結して、折り畳み可能にすることにより、出入口の幅が広くてもゲートとして使用することができる家畜用の連結フェンスを提供することを目的とするものである。
【課題を解決するための手段】
【０００７】
前記目的を達成する本考案の家畜用の連結フェンスは、金属パイプを折り曲げて上枠と２本の平行で等長の縦枠を形成し、２本の縦枠の下端部同士を下枠で接続したフレームと、フレーム内に配置してフレームの補強と家畜の通過阻止を行う補強部材とを備える同一寸法の基準フェンスを複数用意しておき、基準フェンスは少なくとも２枚選択して隣接させ、隣接するフレームの縦枠同士を連結部材で折り畳み可能に連結し、連結した複数の基準フェンスの一方の端部に位置する縦枠は、回転保持部材で支柱に回転保持させ、連結した複数の基準フェンスの他方の端部に位置する縦枠は、係脱部材で他の支柱に係脱可能に係止させた家畜用の連結フェンスである。
【考案の効果】
【０００８】
本考案の家畜用の連結フェンスによれば、家畜用柵の出入口の幅に合わせて基準フェンスを複数個連結して、折り畳み可能にすることにより、家畜用柵の出入口の幅が広くてもゲートとして使用することができる家畜用の連結フェンスが提供される。
【図面の簡単な説明】
【０００９】
【図１】家畜用柵の出入口に設けられた支柱の間にゲートとして設置された従来のフェンスを示す図である。
【図２】（ａ）は本考案の家畜用の連結フェンスにおける基準フェンスの構造を支柱位置と共に示す正面図、（ｂ）は基準フェンスの縦枠を支柱に回転保持させる回転保持部材の一実施例を示す斜視図、（ｃ）は基準フェンスの縦枠と他の基準フェンスの縦枠とを折り畳み可能に連結する連結部材の一実施例を示す斜視図、（ｄ）は基準フェンスの縦枠を他の支柱に係脱させる係脱部材の一実施例を示す斜視図である。
【図３】（ａ）は基準フェンスの両側の縦枠に連結部材を取り付ける場合の、連結部材の取付位置を説明する図、（ｂ）は（ａ）に示した基準フェンスの連結状態を説明する図である。
【図４】（ａ）は家畜用柵の出入口に設けられた支柱の間に、２つの基準フェンスが連結されて形成された連結フェンスの実施例を示す図、（ｂ）は家畜用柵の出入口に設けられた支柱の間に３つの基準フェンスが連結されて形成された連結フェンスの実施例を示す図である。
【図５】（ａ）は図４（ａ）に示した実施例における連結部分に、図２（ｂ）に示した連結部材が使用された場合の縦枠への取付状態を説明する部分断面図、(ｂ)は図４（ｂ）に示した実施例における２か所の連結部分に、図２（ｂ）に示した連結部材が使用された場合の縦枠への取付状態を説明する部分断面図、（ｃ）は（ａ）に示した連結部材の、フェンスが折り畳まれた時の状態を示す部分断面図、（ｄ）は図４に示した２か所の連結部材の、フェンスが折り畳まれた時の状態を示す部分断面図である。
【図６】（ａ）は家畜用柵の出入口の両側に設けられた支柱に、２つの基準フェンスが連結された２組の連結フェンスがそれぞれ取り付けられ、自由端同士が係脱部材で係合された実施例を示す図、（ｂ）は（ａ）に示した実施例における係脱部材の変形実施例の構造を示す図である。
【図７】（ａ）は図４（ｂ）に示した実施例にキャスターを取り付けた場合の具体的な構造例を示す図、（ｂ）は（ａ）に示した実施例のキャスター部分の部分平面図、（ｃ）は（ｂ）に示したキャスター部分の側面図、（ｄ）は（ａ）に示した連結部材の具体的な構造例を示す図、（ｅ）は（ｄ）に示した連結部材がピンで連結された状態を示す図である。
【図８】（ａ）は３つの基準フェンスが連結されて支柱に取り付けられた連結フェンスに別の形態のキャスターが取り付けられた実施例を示す斜視図、（ｂ）は（ａ）に示したキャスター部分の構造を示す部分平面図、（ｃ）は３つの基準フェンスが連結された連結フェンスに図７（ｂ）、（ｃ）に示したキャスターが取り付けられた別の実施例を示す平面図である。
【図９】（ａ）は２つの基準フェンスの連結部分に取り付ける連結部材の別の実施例の構造を示す図、（ｂ）は（ａ）に示した２つの基準フェンスが連結された状態を示す図、（ｃ）は（ａ）、（ｂ）に示した連結部材の一方の構造を示す斜視図である。
【図１０】（ａ）は図７（ａ）に示した下枠と地面との間に電気柵を設ける場合の更に具体的な実施例を示す図、（ｂ）は（ａ）に示したキャスターの正面図、（ｃ）は（ｂ）に示したキャスターのベース基板に取り付けるワイヤー支持碍子の別の実施例の斜視図である。
【図１１】（ａ）は図１０（ｃ）に示したワイヤー支持碍子に導電ワイヤーを支持させるための第１段階を示す図、（ｂ）は（ａ）の状態から導電ワイヤーを撓ませる第２段階を示す図、（ｃ）は導電ワイヤーがワイヤー支持碍子に支持された状態を示す図、（ｄ）は図１０（ａ）に示した連結フェンスが折畳まれた状態を示す平面図である。
【図１２】（ａ）は図１０（ａ）に示した連結フェンスの縦枠に設けた導電ワイヤーを緊張させる構造を部分的に拡大して示す斜視図、（ｂ）は（ａ）に示した緊張具のみの外観を示す斜視図、（ｃ）は（ｂ）に示した緊張具の内部構造を示す断面図である。
【考案を実施するための形態】
【００１０】
以下、添付図面を用いて、本考案の家畜用の連結フェンスについて、豚用の連結フェンスの構造及び使用例を説明する。なお、本考案の家畜用の連結フェンスは豚用に特化されるものではなく、基準フェンスの大きさを変えることにより、種々の家畜についても適用できることは言うまでもない。
【００１１】
図２（ａ）は本考案の家畜用の連結フェンスにおける基準フェンス１０の一実施例の構造を、家畜用柵の出入口２の両側に設けられた支柱３，４と共に示す図である。本実施例の家畜用の連結フェンスの構成単位である基準フェンス１０は、一般に金属パイプで形成されることが多く、湾曲部１２、上枠１３、縦枠１４Ｌ，１４Ｒ及び下枠１５を有するフレーム１１を備える。湾曲部１２は所定長さの金属パイプの両端から同じ長さの部分を湾曲させて折り曲げた部分である。上枠１３は２つの湾曲部１２の間にあり、２つの湾曲部１２と金属パイプの両端との間にある縦枠１４Ｌ，１４Ｒは平行である。基準フェンス１０の横方向の長さは３−５ｍである。
【００１２】
なお、説明を分かり易くするために、基準フェンス１０の左側の縦枠を縦枠１４Ｌ、右側の縦枠を縦枠１４Ｒと記載しているが、縦枠１４Ｌ、１４Ｒは単に縦枠１４と記載することがある。また、２本の縦枠１４Ｌ、１４Ｒの下端部同士は下枠１５によって接続されている。更に、フレーム１１の内側には、フレーム１１の縦方向、横方向、或いは斜め方向に配置され、フレーム１１を補強すると共に豚の通過を阻止するための補強部材１６がある。補強部材１６の交差部分は一般に溶接される。
【００１３】
基準フェンス１０の縦枠１４Ｌ、１４Ｒには、基準フェンス１０を支柱３に回転可能に保持（以下、回転保持ともいう）させる回転保持部材、基準フェンス１０の縦枠１４Ｌと他の基準フェンス１０の縦枠１４Ｒを折畳可能に連結する連結部材、基準フェンスの縦枠１４Ｌを支柱４に係脱させる係脱部材の何れかが取り付け可能である。連結部材を用いれば、１つの基準フェンス１０に複数の基準フェンス１０を連結することができ、広い出入口に対応できる。複数の基準フェンス１０を連結した連結フェンスは、その一端に位置する基準フェンス１０を回転保持部材で支柱３に回転保持させ、他端に位置する基準フェンス１０を支柱４に係脱部材で係合させれば、牧場用柵の出入口の両側に設けられた支柱３、４の間に、開閉可能なゲートとして設置することができる。
【００１４】
図２（ｂ）は、基準フェンス１０の縦枠１４Ｌまたは１４Ｒを、支柱３または４に回転保持させる回転保持部材５の一例を示すものである。回転保持部材５は、ブラケット３０とスリーブ４０を備えて形成される。ブラケット３０には、ネジやボルトで支柱に固定されるプレート３１と、プレート３１に突設されたＬ字状のフック３２とがある。フック３２の基部３２Ｂはプレート３１に垂直であり、軸部３２Ａは、基部３２Ｂに対して垂直でプレート３１に平行になっている。スリーブ４０には、ブラケット３０の軸部３２Ａに挿通される筒部４１と、筒部４１を基準フェンス１０の縦枠１４Ｌまたは縦枠１４Ｒに固定する取付部４２及び筒部４１と取付部４２を接続するアーム４６がある。筒部４１に設けられた挿通孔４１Ａの直径は、軸部３２Ａの直径よりも大きい。縦枠１４に固着する取付部４２の構造は特に限定されないが、本図に示されるように、半円溝を備える部材を対向させてネジやボルトで締結する構造を使用できる。
【００１５】
図２（ｃ）は、基準フェンス１０の縦枠１４Ｌと他の基準フェンス１０の縦枠１４Ｒとを折り畳み可能に連結する連結部材６の一例を示すものである。連結部材６は、回転保持部材５に用いられるスリーブ４０が２つと、回転保持部材５のプレート３１にある軸部３２Ａと同じ軸径を備えるピン４３とを備えて形成される。ピン４３には筒部４１にある挿通孔４１Ａより直径が大きい頭部４３Ｈがある。
【００１６】
図２（ｄ）は、基準フェンス１０の縦枠１４Ｒを他の支柱４に係脱させる係脱部材７の一実施例を示すものである。係脱部材７は、回転保持部材５に用いられるブラケット３０と、スリーブ４０の筒部４１の挿通孔４１Ａにロッド４４が固着されたもの、及び係脱リング４５とを備えて形成される。ロッド４４の筒部４１から突出する部分の長さは、フック３２の軸部３２Ａの長さと同じである。また、係脱リング４５の内径は大きく、近接する軸部３２Ａとロッド４４を挿通して両者が分離しないようにする。
【００１７】
図３（ａ）は、基準フェンス１０の両側の縦枠１４Ｌ，１４Ｒに連結部材６を取り付ける場合の、連結部材６の取付位置の一実施例を示すものである。図２（ｃ）で説明したように、連結部材６は２つのスリーブ４０とピン４３とを備えて形成されるので、ここでは縦枠１４Ｌに取り付ける連結部材６を連結部材６Ａ，縦枠１４Ｒに取り付ける連結部材６を連結部材６Ｂとして説明する。ここで、縦枠１４Ｌに所定間隔を隔てて２つの連結部材６Ａを取り付ける場合、上側の連結部材６Ａの下面を通って上枠１３と下枠１５に平行な直線をＲＬ１とし、下側の連結部材６Ａの上面を通って上枠１３と下枠１５に平行な直線をＲＬ２とする。この場合、縦枠１４Ｒに取り付ける２つの連結部材６Ｂの取付位置は、線ＲＬ１の下側、及び線ＲＬ２の上側とする。
【００１８】
図３（ｂ）は、図３（ａ）に示した基準フェンス１０を２つ連結させた状態を示すものである。２つの基準フェンス１０を隣接させた状態では、左側の基準フェンス１０の縦枠１４Ｒに取り付けられた連結部材６Ｂと、右側の基準フェンス１０の縦枠１４Ｌに取り付けられた連結部材６Ａは、前述の線ＲＬ１と線ＲＬ２を境にして重なり合い、ピン４３で連結される。この重なりにおいて、左側の基準フェンス１０の縦枠１４Ｒに取り付けられた連結部材６Ｂは、右側の基準フェンス１０の縦枠１４Ｌに取り付けられた連結部材６Ａの内側に入って重なり合っている。この結果、左側の基準フェンス１０に対して、連結後の右側の基準フェンス１０が上方向または下方向に移動しようとしても、移動が連結部材６Ａ、６Ｂの重なりで阻止されることになり、連結フェンスに上下方向の外力が加わっても連結部材６Ａと連結部材６Ｂの結合が外れない。
【００１９】
図４（ａ）は、家畜用柵の出入口２に設けられた支柱３，４の間に、２つの基準フェンス１０が連結された連結フェンス２０がゲートＧとして取り付けられた状態を示すものである。また、図４（ｂ）は、家畜用柵１の出入口２に設けられた支柱３，４の間に、３つの基準フェンス１０が連結された連結フェンス２０がゲートＧとして取り付けられた状態を示すものである。このように、連結する基準フェンス１０の個数を変えることにより、本考案の連結フェンス２０は、出入口の幅が広くても対応することができる。
【００２０】
図５（ａ）は、図４（ａ）に示した実施例における連結部材６に、図２（ｃ）に示した２つのスリーブ４０とピン４３を用いた時の、縦枠１４Ｌ、１４Ｒに対するスリーブ４０の取付状態を説明するものである。２つのスリーブ４０は、２つの基準フェンス１０を一直線状に並べた時に、ピン４３の中心Ｃを通る水平方向の直線Ｔが、基準フェンス１０の厚さ方向において取付部４２のピン４３と同じ側の側面の両方に接するように、縦枠１４Ｌ、１４Ｒに取り付ける。この状態では、２つの基準フェンス１０を一直線状に並べた時に、スリーブ４０の筒部４１が２つの基準フェンス１０によって形成される平面の外側に突出しており、基準フェンス１０はスリーブ４０の筒部４１が突出する方向に折り畳むことができる。図５（ｃ）は一直線状に並んだ基準フェンス１０を、筒部４１が突出する方向に折り畳んだ時の、スリーブ４０の状態を示すものである。この時ピン４３は、折り畳まれた連結フェンス２０の厚さの半分の厚さの位置にある。
【００２１】
図５(ｂ)は、図４（ｂ）に示した３つの基準フェンス１０を連結した実施例の連結フェンス２０における二箇所Ｐ，Ｑにある連結部材６に、図２（ｃ）に示した２つのスリーブ４０とピン４３を用いた時の、縦枠１４Ｌ、１４Ｒに対するスリーブ４０の取付状態を説明するものである。第１の箇所Ｐにある２つのスリーブ４０は、２つの基準フェンス１０を一直線状に並べた時に、ピン４３の中心を通る直線ＴＰが、基準フェンス１０の厚さ方向において取付部４２のピン４３と同じ側の側面の両方に接するように、縦枠１４Ｌ、１４Ｒに取り付ける。この状態では、２つの基準フェンス１０を一直線状に並べた時に、スリーブ４０の筒部４１が２つの基準フェンス１０によって形成される表裏両面の一方の面の外側に突出しており、基準フェンス１０はスリーブ４０の筒部４１が突出する方向に折り畳むことができる。
【００２２】
第２の箇所Ｑにある２つのスリーブ４０は、２つの基準フェンス１０を一直線状に並べた時に、ピン４３の中心を通る直線ＴＱが、第１の箇所Ｐと反対側の面にある取付部４２のピン４３と同じ側の側面の両方に接するように、縦枠１４Ｌ、１４Ｒに取り付ける。この状態では、２つの基準フェンス１０を一直線状に並べた時に、スリーブ４０の筒部４１が２つの基準フェンス１０によって形成される表裏両面の他方の面の外側に突出しており、基準フェンス１０はスリーブ４０の筒部４１が突出する方向に折り畳むことができる。図５（ｄ）は一直線状に並んだ基準フェンス１０を備える連結フェンス２０を、２箇所Ｐ，Ｑでそれぞれ筒部４１が突出する方向に折り畳んだ時の、スリーブ４０の状態を示すものである。この時２つのピン４３はそれぞれ、重なり合った２つの基準フェンス１０の厚さの半分の厚さの位置にある。
【００２３】
図６（ａ）は、家畜用柵の出入口２の両側に設けられた支柱３，４に、２つの基準フェンス１０が連結された２組の連結フェンス２０がゲートＧとして、それぞれ取り付けられた状態のゲートＧを含む連結フェンスシステムを示すものである。図４（ａ）で説明した実施例では、家畜用柵の出入口２に設けられた支柱３，４の間に、２つの基準フェンス１０が連結された連結フェンス２０が１組、支柱３に回動可能に取り付けられてゲートＧが形成されていた。一方、図６（ａ）に示す実施例は、図４（ａ）に示した連結フェンス２０を２組作り、一方の連結フェンス２０の左右を入れ替えて支柱４に回動可能に取り付けたものである。
【００２４】
この場合の係脱部材７としては、図６（ｂ）に示す係脱部材７が使用できる。本実施例の係脱部材７は、連結部材６に用いられるスリーブ４０の筒部４１の挿通孔４１Ａにロッド４４が固着されたものが２つと係脱リング４５とを備えて形成される。２本のロッド４４の筒部４１から突出する部分の長さは等しい。また、係脱リング４５の内径は大きく、近接するロッド４４を挿通してロッド４４が分離しないようにできる。本実施例の２組の連結フェンス２０は、片方の組の連結フェンス２０だけを開閉したり、両方の組の連結フェンス２０を開閉したりすることができる。
【００２５】
図７（ａ）は、図４（ｂ）に示した連結フェンス２０の具体的な構造例を示している。なお、図４（ｂ）に示した実施例では回転保持部材５が支柱３に取り付けられていたが、本実施例では回転保持部材５が支柱４に取り付けられており、連結フェンス２０は支柱４に対して折り畳むことができる。また、ここでは、説明を分かり易くするために、支柱３側の基準フェンス１０を基準フェンス１０Ａ，真ん中の基準フェンス１０を基準フェンス１０Ｂ，支柱４側の基準フェンス１０を基準フェンス１０Ｃとして説明する。本実施例の連結フェンス２０には、各基準フェンス１０Ａ−１０Ｃの下枠１５の、支柱４から遠い側の底面にキャスター５０が設けられている。そして、基準フェンス１０Ａのキャスター５０の取付位置は、連結フェンス２０を折り畳んだ時に、基準フェンス１０Ｃのキャスター５０に干渉しない位置になっている。
【００２６】
キャスター５０は、図７（ｂ）、（ｃ）に示すように、下枠１５の両側に延伸されたベース板５１、ベース板５１の両方の端部近傍の下面にそれぞれ取り付けられた車輪５２、車輪５２を車軸５７で回転保持するフォーク５６、フォーク５６を旋回可能にベース板５１の下面に取り付けるトッププレート５５、及びベース板５１を下枠１５に固定する２つのＵ字フック５３とナット５４とを備える。フォーク５６は、トッププレート５５に対して３６０度旋回することができる。
【００２７】
図７（ｄ）は、図７（ａ）に示した連結部材６の具体的な構造例を示している。この例の連結部材６は、縦枠を両側から挟む２枚の取付板６１が２つと、ピン６２とを備える。２枚の取付板６１で縦枠を挟むと、先端部側にピンの挿通孔６３ができるので、ピン６２をこの挿通孔６３に挿通する。図７（ｅ）は、ピン６２を挿通した２枚の取付板６１が、図示を省略した縦枠に取り付けられた状態を示すものである。このように、下枠１５の底面にキャスター５０を取り付けると、下枠１５と地面との間にスペースＳができる。このスペースＳを小動物が通り抜ける可能性が考えられる場合は、このスペースＳの２点鎖線で示す位置に、通常のワイヤー或いは高圧パルスを断続的に流すことができる導電ワイヤーＷを設置することができる。
【００２８】
図８（ａ）は、３つの基準フェンス１０が連結された連結フェンス２０が支柱４に回動可能に取り付けられた別の実施例を示すものであり、本図には回転保持部材と連結部材の図示は省略してある。この実施例では、基準フェンス１０の下枠１５に別の形態のキャスター５０が取り付けられている。本形態のキャスター５０は、図８（ｂ）に示すように、車輪５２が双輪であり、ベース板５１が下枠１５に対して回転軸５８によって旋回できるようになっている。ベース板５１が下枠１５に対して旋回できると、連結フェンス２０を図８（ｃ）に示すように折り畳んだ時に、キャスター５０を下枠１５に隠れる位置まで旋回させれば、隣接するキャスター５０同士が干渉しなくなり、重ね合わされた基準フェンス１０同士の隙間が小さくなる。
【００２９】
また、図７で説明した実施例では、支柱４に隣接する基準フェンス１０に取り付けるキャスター５０の位置を、支柱４から数えて３つ目の基準フェンス１０のキャスター５０の位置に対して干渉しないようにずらす以外に、各基準フェンスのフレーム直下と、フレームの一方の外側だけにキャスターの車輪が来るようにベース板を突出させて、連結フェンスを折り畳んだ時に、隣接する基準フェンスからベース板が１つおきに反対側に突出するようにして干渉を防ぐこともできる。
【００３０】
図９（ａ）は、２つの基準フェンス１０の連結部分に取り付ける連結部材６の別の実施例の構造を示すものであり、図９（ｂ）は図９（ａ）に示した２つの基準フェンス１０が連結部材６によって連結された状態を示すものである。この実施例では、連結部材６は、２つのスリーブ軸受６４と、第１のスリーブ６５Ａと第２のスリーブ６５Ｂとが一体的に接続された複合スリーブ６５、ストッパ６６及びピン６２を備えて形成される。
【００３１】
２つのスリーブ軸受６４は、基準フェンス１０の一方の縦枠１４に溶接等によって、上下方向に所定間隔を隔てて取り付けられる。スリーブ軸受６４にはピン６２が摺動可能に挿通する貫通孔があり、２つのスリーブ軸受６４が縦枠１４に固着された状態では、貫通孔を通る軸線は一致する。ピン６２には軸径の大きい頭部６２Ｈがあり、ピン６２をスリーブ軸受６４に挿入すると、頭部６４Ｈはスリーブ軸受６４によって係止される。
【００３２】
複合スリーブ６５の第１のスリーブ６５Ａは、縦枠１４に固着された２つのスリーブ軸受６４の間に着脱可能にはめ込まれる長さを備えると共に、ピン６２が摺動可能に挿通される貫通孔を備える。第１のスリーブ６５Ａが２つのスリーブ軸受６４の間にはめ込まれた状態では、２つのスリーブ軸受６４の貫通孔と、第１のスリーブ６５Ａの貫通孔の軸線は一致する。また、第１のスリーブ６５Ａが２つのスリーブ軸受６４の間に嵌め込まれた状態では、左側の基準フェンス１０に対して右側の基準フェンスが上下方向にずれることがない。複合スリーブ６５の第２のスリーブ６５Ｂは、図９（ｃ）に示すように、連絡部材６５Ｃで第１のスリーブ６５Ａと接続されている。この実施例では、第２のスリーブ６５Ｂは２つに分かれているが、第１のスリーブ６５Ａのように一体でも良い。第２のスリーブ６５Ｂにある貫通孔には、基準フェンス１０の縦枠１４が摺動可能に挿通される。第２のスリーブ６５Ｂが分かれている場合は、その貫通孔の軸線は一致している。
【００３３】
ストッパ６６は複合スリーブ６５の下方の縦枠１４に固着されて、第２のスリーブ６５Ｂを保持して第２のスリーブ６５Ｂが縦枠１４に対して旋回可能にする。ストッパ６６の縦枠１４への固着位置は、第２のスリーブ６５Ｂを保持した状態で、複合スリーブ６５の第１のスリーブ６５Ａが、スリーブ軸受６４の間に挿入できる位置である。２つの基準フェンス１０を、連結部材６を用いて連結した連結フェンス２０は、ピン６２がスリーブ軸受６４と第１のスリーブ６５Ａ内を摺動可能であり、縦枠１４が第２のスリーブ６５Ｂ内を摺動可能になっている。このため、連結フェンス２０はどちらの方向にも折り畳み可能である。又は、連絡部材６５Ｃの長さを適切に設定することにより、折り畳んだ状態の基準フェンスの間隔を小さくできる。
【００３４】
図１０（ａ）は図７（ａ）に示したキャスター５０が取り付けられた連結フェンス２０の、下枠１５と地面との間に電気柵の導電ワイヤーＷを張設する場合の更に具体的な実施例を示すものであり、各基準フェンス１０Ａ−１０Ｃの長手方向の長さは一部省略して描いてある。各基準フェンス１０Ａ−１０Ｃの下枠１５に取り付けるキャスターには、図７（ｂ）、（ｃ）に示したキャスター５０を使用することができる。この実施例でも、基準フェンス１０Ａのキャスター５０の取付位置は、連結フェンス２０を折り畳んだ時に、基準フェンス１０Ｃのキャスター５０に干渉しない位置になっている。
【００３５】
下枠１５と地面との間に導電ワイヤーＷを張設する場合は、導電ワイヤーＷと地面との間の距離を確保し、導電ワイヤーＷが地面に接触しないようにする必要がある。そこで、本実施例では回転保持部材５の下側の回転軸２１と連結部材６の下側の回転軸２１が地面側に延伸され、先端部に導電ワイヤーＷを支持する支持碍子２２が設けられている。これに加えて、キャスター５０のベース板５１の下面にも導電ワイヤーＷを支持するためのロッド２３と支持碍子２４が設けられている。支持碍子２２、２４は本実施例のようにリング状でも良いが、導電ワイヤーＷの端部を支持碍子２２、２４の孔に通す必要がある。そこで、支持碍子２２、２４は図１０（ｃ）に示すようなピッグテール状にすることができる。そして、支持碍子２２を通った導電ワイヤーＷは、支柱４の側面に設けた中継器２５に接続し、中継器２５から高電圧パルスを発生して導電ワイヤーＷに供給するパワーユニットに接続する。中継器２５には、連結フェンス２０を開ける時に導電ワイヤーＷへの高電圧パルスの通電を遮断するスイッチを設けることができる。
【００３６】
支持碍子２２，２４をピッグテール状にすると、図１１（ａ）から図１１（ｃ）に示すように、導電ワイヤーＷを支持碍子２２，２４の上方から下方にスライドさせた後に、撓ませて支持碍子２２，２４の先端部を通り越すことによって支持碍子２２，２４に支持させることができる。図１１（ｄ）は、キャスター５０が取り付けられた連結フェンス２０を折り畳んだ状態を示すものである。前述のように、基準フェンス１０Ａのキャスター５０の取付位置を基準フェンス１０Ｃのキャスター５０の取付位置と異ならせてあるので、連結フェンス２０を折り畳んだ時に、基準フェンス１０Ａと基準フェンス１０Ｃのキャスター５０が干渉しない。
【００３７】
更に、下枠１５と地面との間に導電ワイヤーＷを張設する場合は、導電ワイヤーＷが引っ張られた状態で張設する必要がある。そこで、本実施例では、図１０（ａ）に示すように、支柱３に最も近い縦枠１４Ｌの下端部にプーリー８６を設けて導電ワイヤーＷの方向を縦枠１４Ｌに沿った方向に変え、縦枠１４Ｌに設けた緊張具８０に接続している。緊張具８０はバネの力で導電ワイヤーＷを引っ張ることによって、導電ワイヤーＷを緊張させるものである。導電ワイヤーＷを緊張させる構造の一例について、図１２を用いて説明する。
【００３８】
図１２（ａ）は、図１０（ａ）に示した連結フェンス２０の、縦枠１４Ｌに設けた導電ワイヤーＷを緊張させる構造を部分的に拡大して示すものである。支柱３に最も近い縦枠１４Ｌの下端部にはプーリー８６が設けられており、導電ワイヤーＷの張設方向を水平方向から縦枠１４Ｌに沿った方向に変えている。縦枠１４Ｌには引掛部８５が設けられており、この引掛部８５に図１２（ｂ）に外観を示す緊張具８０の一方から突出するＵ字端子８４が引掛けられる。プーリー８６で向きを変えられた導電ワイヤーＷの端部は、緊張具８０の他方から突出するワイヤー取付フック８３に取り付けられる。
【００３９】
図１２（ｃ）は緊張具８０の筐体８１の内部の構造の一例を示すものである。筐体８１の内部には圧縮バネ８２が収容されている。そして、ワイヤー取付フック８３の基部は、圧縮バネ８２の内部を通って圧縮バネ８２の反対側に達し、その端部が圧縮バネ８２の端部に引掛けられている。同様に、Ｕ字端子８４の基部は、圧縮バネ８２の内部を通って圧縮バネ８２の反対側に達し、その端部が圧縮バネ８２の端部に引掛けられている。このため、ワイヤー取付フック８３もＵ字端子８４も、筐体８１から引き出されると、筐体８１の内部に戻ろうとする。
【００４０】
よって、緊張具８０を引掛部８５に取り付け、ワイヤー取付フック８３とＵ字端子８４を筐体８１から引き出した状態で導電ワイヤーＷの端部をワイヤー取付フック８３に接続すれば、導電ワイヤーＷは緊張状態で連結フェンス２０の下枠１５と地面との間にピンと張られた状態で支持される。このように、連結フェンス２０の下枠１５と地面との間に張設した導電ワイヤーＷを、図１０（ａ）に示した中継器２５を介して電気さく用パワーユニットに接続し、パワーユニットから高電圧パルスを導電ワイヤーＷに印加すれば、連結フェンス２０に電気さくを形成することができる。
【００４１】
以上、本考案に係る家畜用の連結フェンスを、それぞれ実施例に基づいて説明したが、家畜用の連結フェンスは上述した豚用の実施例の構造に限定されるものではない。また、本考案に係る家畜用の連結フェンスを形成する基準フェンスのサイズは、連結フェンスで移動を阻止する家畜の種類や出入口のサイズに応じて適宜変更すれば良い。更に、回転保持部材、連結部材及び係脱部材の構造も上述した実施例に限定されない。
【符号の説明】
【００４２】
１    家畜用柵
２    出入口
３、４  支柱
５    回転保持部材
６    連結部材
７    係脱部材
１０  基準フェンス
１１  フレーム
１２  湾曲部
１３  上枠
１４、１４Ｌ、１４Ｒ  縦枠
１５  下枠
１６  補強部材
２０  連結フェンス
３０  ブラケット
３１  プレート
３２  フック
４０  スリーブ
４１  筒部
４２  取付部
４３、６２  ピン
４４  ロッド
４５  係脱リング
４６  アーム
５０  キャスター
６１  取付板
６４  スリーブ軸受
６５  複合スリーブ
６６  ストッパ
８０  緊張具
８２  圧縮バネ
Ｗ  導電ワイヤー
【図１】
0003230199.tif 000003
【図２】
0003230199.tif 000004
【図３】
0003230199.tif 000005
【図４】
0003230199.tif 000006
【図５】
0003230199.tif 000007
【図６】
0003230199.tif 000008
【図７】
0003230199.tif 000009
【図８】
0003230199.tif 000010
【図９】
0003230199.tif 000011
【図１０】
0003230199.tif 000012
【図１１】
0003230199.tif 000013
【図１２】
0003230199.tif 000014